(57)【特許請求の範囲】
【請求項１】
室内機本体に取り付けられ、第１の被係合部及び第２の被係合部と、前記第１の被係合部と前記第２の被係合部との間に設けられた第１のネジ挿通穴と、を有する化粧パネル本体と、
第１の取付板部及び第２の取付板部と、前記第１の取付板部と前記第２の取付板部との間に設けられ第２のネジ挿通穴を有する取付面部と、前記第１の取付板部及び前記第２の取付板部にそれぞれ設けられ、前記第１の被係合部及び前記第２の被係合部にそれぞれ移動可能に係合された第１の係合部及び第２の係合部と、を有する化粧パネル取付部品と、
前記第２のネジ挿通穴及び前記第１のネジ挿通穴に挿通され、前記室内機本体に設けられたネジ締結穴に締結されることで、前記取付面部が前記室内機本体の方向に変位するように前記第１の取付板部及び前記第２の取付板部を変形させるとともに、前記第１の係合部及び前記第２の係合部を前記ネジ締結穴に締結される前よりも互いに近づくように移動させる化粧パネル取付ネジと、
を備えた化粧パネル。
【請求項２】
室内機本体に取り付けられ、第１の係合部及び第２の係合部と、前記第１の係合部と前記第２の係合部との間に設けられた第１のネジ挿通穴と、を有する化粧パネル本体と、
第１の取付板部及び第２の取付板部と、前記第１の取付板部と前記第２の取付板部との間に設けられ第２のネジ挿通穴を有する取付面部と、前記第１の取付板部及び前記第２の取付板部にそれぞれ設けられ、前記第１の係合部及び前記第２の係合部がそれぞれ係合された状態で移動可能な第１の被係合部及び第２の被係合部と、を有する化粧パネル取付部品と、
前記第２のネジ挿通穴及び前記第１のネジ挿通穴に挿通され、前記室内機本体に設けられたネジ締結穴に締結されることで、前記取付面部が前記室内機本体の方向に変位するように前記第１の取付板部及び前記第２の取付板部を変形させるとともに、前記第１の被係合部及び前記第２の被係合部を前記ネジ締結穴に締結される前よりも互いに近づくように移動させる化粧パネル取付ネジと、
を備えた化粧パネル。
【請求項３】
前記第１の取付板部及び前記第２の取付板部は、折れ曲がり可能な２つのヒンジ部をそれぞれ有する請求項１又は２に記載の化粧パネル。
【請求項４】
前記第１の被係合部及び前記第２の被係合部は、長穴であり、
前記第１の係合部及び前記第２の係合部は、前記長穴に引っ掛かるツメ形状をしている請求項１〜３のいずれか一項に記載の化粧パネル。
【請求項５】
前記第１の係合部及び前記第２の係合部は、同一の形状である請求項１〜４のいずれか一項に記載の化粧パネル。
【請求項６】
前記ネジ締結穴を有する前記室内機本体と、
前記ネジ締結穴に前記化粧パネル取付ネジを締結することにより前記室内機本体に取り付けられた、請求項１〜５のいずれか一項に記載の化粧パネルと、
を備えた室内機。
【発明の詳細な説明】
【技術分野】
【０００１】
本発明は、空気調和機の室内機及び室内機に取り付ける化粧パネルに関する。
【背景技術】
【０００２】
従来の空気調和機において、例えば４方向カセット形の室内機は、天井裏の空間に吊り下げられた室内機本体の室内側の面に化粧パネルが化粧パネル取付ネジを用いて取り付けられている。この空気調和機においては、室内機本体に化粧パネルを取り付ける取付作業時に化粧パネル取付ネジを手持ちしなくても良いようにするために、化粧パネル取付ネジを保持する化粧パネル取付部品を予め化粧パネルに取り付けたものがある（例えば、特許文献１参照）。
【先行技術文献】
【特許文献】
【０００３】
【特許文献１】特開２０１５−３４６４３号公報
【発明の概要】
【発明が解決しようとする課題】
【０００４】
特許文献１において、化粧パネル取付部品は、長手方向に延びた板状の取付部を有する。取付部の中央部には化粧パネル取付ネジを係止保持するネジ係止穴が形成された取付面部が設けられており、取付部の両端には化粧パネルのツメ係止穴に嵌め込まれて係止されるツメ部が設けられている。また、取付部の取付面部とツメ部との間には、弾性変形可能な湾曲部が形成されている。そして、化粧パネルの取付作業時には、化粧パネル取付ネジを回転させて室内機本体に設けられたネジ締結穴への締結を進めることにより、湾曲部を弾性変形させながら取付面部を室内機本体の方向に変位させることができる。【０００５】
しかしながら、特許文献１の化粧パネル取付部品では、湾曲部を弾性変形させて取付面部を室内機本体の方向に変位させるため、湾曲部を弾性変形させることのできる程度の強い力で化粧パネル取付ネジを押し続けながら化粧パネル取付ネジを回転させる必要があり、作業性が悪いという問題があった。【０００６】
本発明は、上記した問題点を解決するためのものであり、化粧パネル取付ネジを室内機本体のネジ締結穴に締結する際の作業性を向上させることを目的とするものである。
【課題を解決するための手段】
【０００７】
本発明に係る化粧パネルは、室内機本体に取り付けられ、第１の被係合部及び第２の被係合部と、第１の被係合部と第２の被係合部との間に設けられた第１のネジ挿通穴と、を有する化粧パネル本体と、第１の取付板部及び第２の取付板部と、第１の取付板部と第２の取付板部との間に設けられ第２のネジ挿通穴を有する取付面部と、第１の取付板部及び第２の取付板部にそれぞれ設けられ、第１の被係合部及び第２の被係合部にそれぞれ移動可能に係合された第１の係合部及び第２の係合部と、を有する化粧パネル取付部品と、第２のネジ挿通穴及び第１のネジ挿通穴に挿通され、室内機本体に設けられたネジ締結穴に締結されることで、取付面部が室内機本体の方向に変位するように第１の取付板部及び第２の取付板部を変形させるとともに、第１の係合部及び第２の係合部をネジ締結穴に締結される前よりも互いに近づくように移動させる化粧パネル取付ネジと、を備えたものである。【０００８】
また、本発明に係る化粧パネルは、室内機本体に取り付けられ、第１の係合部及び第２の係合部と、第１の係合部と第２の係合部との間に設けられた第１のネジ挿通穴と、を有する化粧パネル本体と、第１の取付板部及び第２の取付板部と、第１の取付板部と第２の取付板部との間に設けられ第２のネジ挿通穴を有する取付面部と、第１の取付板部及び第２の取付板部にそれぞれ設けられ、第１の係合部及び第２の係合部がそれぞれ係合された状態で移動可能な第１の被係合部及び第２の被係合部と、を有する化粧パネル取付部品と、第２のネジ挿通穴及び第１のネジ挿通穴に挿通され、室内機本体に設けられたネジ締結穴に締結されることで、取付面部が室内機本体の方向に変位するように第１の取付板部及び第２の取付板部を変形させるとともに、第１の被係合部及び第２の被係合部をネジ締結穴に締結される前よりも互いに近づくように移動させる化粧パネル取付ネジと、を備えたものである。【０００９】
また、本発明に係る室内機は、ネジ締結穴を有する室内機本体と、ネジ締結穴に化粧パネル取付ネジを締結することにより室内機本体に取り付けられた、上記化粧パネルと、を備えたものである。
【発明の効果】
【００１０】
本発明の化粧パネル及び室内機によれば、化粧パネル取付ネジをネジ締結穴に締結することにより、化粧パネル取付部品の取付面部が室内機本体の方向に変位するとともに、第１の取付板部及び第２の取付板部が互いに近づくように移動するため、化粧パネル取付ネジを室内機本体のネジ締結穴に締め付ける際の作業性を向上させることができる。
【図面の簡単な説明】
【００１１】
【図１】本発明の実施の形態１に係る室内機の外観斜視図である。
【図２】本発明の実施の形態１に係る室内機の分解斜視図である。
【図３】本発明の実施の形態１に係る化粧パネルのコーナー部の拡大斜視図である。
【図４】本発明の実施の形態１に係る化粧パネル取付部品の拡大斜視図である。
【図５】本発明の実施の形態１に係る室内機の化粧パネルのコーナー部のＡ−Ａ断面図で、化粧パネルが室内機本体に仮掛けされた状態を示す図である。
【図６】本発明の実施の形態１に係る室内機の化粧パネルのコーナー部のＡ−Ａ断面図で、化粧パネルが室内機本体に取り付けられた状態を示す図である。
【図７】本発明の実施の形態１に係る室内機の化粧パネルのコーナー部の拡大斜視図で、化粧パネルが室内機本体に取り付けられた状態を示す図である。
【図８】本発明の実施の形態２に係る室内機の化粧パネルのコーナー部のＡ−Ａ断面図で、化粧パネルが室内機本体に仮掛けされた状態を示す図である。
【図９】本発明の実施の形態２に係る室内機の化粧パネルのコーナー部のＡ−Ａ断面図で、化粧パネルが室内機本体に取り付けられた状態を示す図である。
【図１０】本発明の実施の形態３に係る空気調和機の構成例を示す図である。
【発明を実施するための形態】
【００１２】
以下、本発明の実施の形態に係る空気調和機について図面を参照しながら説明する。以下の図面において、同一の符号を付したものは、同一又はこれに相当するものであり、以下に記載する実施の形態の全文において共通することとする。そして、明細書全文に表わされている構成要素の形態は、あくまで例示であって、明細書に記載された形態に限定するものではない。また、図面では各構成部材の大きさの関係が実際のものとは異なる場合がある。
【００１３】
実施の形態１．
本発明の実施の形態１の空気調和機の室内機１００の構成を、図１から図３を用いて説明する。図１は本発明の実施の形態１に係る室内機１００の外観斜視図、図２は本発明の実施の形態１に係る室内機１００の分解斜視図、図３は本発明の実施の形態１に係る室内機１００の化粧パネル２のコーナー部の拡大斜視図である。ここでは、空気調和機の一例として、４方向から室内に送風する４方向カセット形空気調和機を示している。
【００１４】
図１及び図２に示すように、室内機１００は、室内側、すなわち紙面下側の面が開口した室内機本体１と、室内機本体１の下面に取り付けられた略四角形状の化粧パネル２とを備える。室内機本体１は図示の向きで室内の天井裏の空間に配置され、化粧パネル２は室内空間に配置される。なお、以下では、室内機１００の天井側、すなわち図１における紙面上側を「上」、室内機１００の室内側、すなわち図１における紙面下側を「下」として説明する。
【００１５】
室内機本体１の４箇所のコーナー部には、化粧パネル２を取り付けるための取付部３が外方に突出して設けられている。取付部３にはネジ締結穴３ａが設けられており、このネジ締結穴３ａに後述する取付手段８の化粧パネル取付ネジ９が締結されることで、化粧パネル２が室内機本体１に取り付けられる。
【００１６】
化粧パネル２は化粧パネル本体４と、化粧パネル本体４に取り付けられた取付手段８とを有する。化粧パネル本体４の中央部には室内機本体１内へ空気を吸い込む吸込口５が設けられ、吸込口５の周囲には化粧パネル本体４の４つの各辺に沿って調整空気を室内へと吹き出す吹出口６が設けられている。また、化粧パネル本体４の４箇所のコーナー部には、コーナーパネル７が着脱自在に装着されており、各種作業時にコーナーパネル７を取り外して作業を行えるようになっている。
【００１７】
化粧パネル本体４の４箇所のコーナー部には、図３に示すように、取付部品配置部２０が形成されている。取付部品配置部２０には、ネジ締結穴３ａに対応する位置に設けられた第１のネジ挿通穴２１と、第１のネジ挿通穴２１の両脇に設けられ後述する化粧パネル取付部品１１の第１の係合部１５及び第２の係合部１６がそれぞれ係合される第１の被係合部２２及び第２の被係合部２３と、が形成されている。
【００１８】
第１の被係合部２２及び第２の被係合部２３は、第１のネジ挿通穴２１の軸方向に対して直交する方向に延びた長穴であり、一直線上に並んでいる。また、第１の被係合部２２及び第２の被係合部２３は、第１の係合部１５及び第２の係合部１６が長手方向に移動できる空間を内部に有する。これにより、第１の係合部１５及び第２の係合部１６は、第１の被係合部２２及び第２の被係合部２３の短手方向には位置を変位しないように固定されるが、長手方向には位置を変位させることができるようになっている。
【００１９】
次に、化粧パネル本体４を室内機本体１に取り付けるための取付手段８について詳細に説明する。取付手段８は、化粧パネル取付ネジ９と座金１０と化粧パネル取付部品１１とを備える。
【００２０】
図４は、本発明の実施の形態１に係る室内機１００の化粧パネル取付部品１１の拡大斜視図である。図４（ａ）は化粧パネル取付部品１１を化粧パネル本体４に取り付けた際に下側から見た図であり、図４（ｂ）は化粧パネル取付部品１１を化粧パネル本体４に取り付けた際に上側から見た図である。
【００２１】
図４に示すように、化粧パネル取付部品１１は、第１のネジ挿通穴２１に対応する位置に設けられた第２のネジ挿通穴１２ａを有する取付面部１２と、取付面部１２の両脇に設けられ、取付面部１２を中心としてそれぞれ反対方向に延びる第１の取付板部１３及び第２の取付板部１４とを有する。化粧パネル取付部品１１は、例えば樹脂素材で形成される。また、第１の取付板部１３及び第２の取付板部１４の端部には、第１の被係合部２２及び第２の被係合部２３にそれぞれ移動可能に係合される第１の係合部１５及び第２の係合部１６が設けられる。
【００２２】
第１の係合部１５及び第２の係合部１６は、ツメ形状をしており、第１の被係合部２２及び第２の被係合部２３に引っ掛かる形状となっている。具体的には、第１の係合部１５は、ボス部１５ａと、ボス部１５ａの先端に設けられる一対のツメ部１５ｂと、を有する。一対のツメ部１５ｂは、ボス部１５ａの先端において、化粧パネル取付部品１１の短手方向の外側に突出するように形成されている。また、ボス部１５ａは、一対のツメ部１５ｂが化粧パネル取付部品１１の短手方向において互いに近づく方向に移動できるように弾性変形可能となっているため、第１の係合部１５はかかる弾性変形を生じながら、第１の被係合部２２に挿入されて係合される。第２の係合部１６は、第１の係合部１５と同様に、ボス部１６ａと、ボス部１６ａの先端に設けられる一対のツメ部１６ｂと、を有し、第２の被係合部２３に挿入されて係合される。
【００２３】
第２のネジ挿通穴１２ａは、その内周面から間隔を空けて内側に突出した６か所の凸部１７を有し、星形状となっている。第２のネジ挿通穴１２ａは、凸部１７を有することにより、化粧パネル取付ネジ９の軸径よりも狭い空間となっており、化粧パネル取付ネジ９の頭部を下側とした状態で係止保持することが可能となっている。
【００２４】
また、第１の取付板部１３には、取付面部１２と第１の係合部１５との間に、折れ曲がり可能なヒンジ部１８が２つ形成されている。同様に、第２の取付板部１４には、取付面部１２と第２の係合部１６との間に、自由に折れ曲がり可能なヒンジ部１８が２つ形成されている。ヒンジ部１８は、例えば薄肉の溝であり、ヒンジ部１８において折れ曲がることで、取付面部１２の高さ位置を変位できるようになっている。
【００２５】
また、取付面部１２には、第１の係合部１５及び第２の係合部１６が設けられている側とは反対側の面に、長手方向において第２のネジ挿通穴１２ａを挟むように、座金１０を保持する２つの引っ掛け部１９を有する。
【００２６】
次に、以上のように構成された化粧パネル取付部品１１を用いて化粧パネル本体４を室内機本体１に取り付ける手順について説明する。
【００２７】
図５は、本発明の実施の形態１に係る室内機１００の化粧パネル２のコーナー部のＡ−Ａ断面図で、化粧パネル２が室内機本体１に仮掛けされた状態を示す図である。図６は、本発明の実施の形態１に係る室内機１００の化粧パネル２のコーナー部のＡ−Ａ断面図で、化粧パネル２が室内機本体１に取り付けられた状態を示す図である。図７は、本発明の実施の形態１に係る室内機１００の化粧パネル２のコーナー部の拡大斜視図で、化粧パネル２が室内機本体１に取り付けられた状態を示す図である。
【００２８】
製品出荷時における化粧パネル本体４への取付手段８の組み込み手順について説明する。まず、コーナーパネル７が取り外された状態の化粧パネル本体４の取付部品配置部２０の全てに化粧パネル取付部品１１を仮止めする。すなわち、化粧パネル取付部品１１の第１の係合部１５及び第２の係合部１６をそれぞれ第１の被係合部２２及び第２の被係合部２３に係合させるとともに、化粧パネル取付部品１１の引っ掛け部１９に座金１０を差し込み、第２のネジ挿通穴１２ａに化粧パネル取付ネジ９を頭部が下側となる状態で挿入して係止させる。化粧パネル２は、取付手段８の取付部品配置部２０への仮止め後に、取付部品配置部２０がコーナーパネル７により覆われた状態で室内機本体１とともに出荷される。
【００２９】
空気調和機を据え付ける現地では、取付作業者は、まず、コーナーパネル７を取り外して取付手段８が仮止めされた部分を露出させる。そして、化粧パネル２を、図示しない係止手段を用いて室内機本体１に仮掛けする。化粧パネル２を室内機本体１に仮掛けした状態においては、図５に示すように、化粧パネル取付ネジ９は、ネジ締結穴３ａ及び第１のネジ挿通穴２１と同軸上に位置し、先端が第１のネジ挿通穴２１の内部に位置するようになっている。また、化粧パネル取付部品１１の第１の取付板部１３及び第２の取付板部１４は、ヒンジ部１８で折れ曲がらずに水平な状態になっている。
【００３０】
その後、化粧パネル取付ネジ９を回転させ、ネジ締結穴３ａへの締結を進めると、化粧パネル取付部品１１がヒンジ部１８で折れ曲がるとともに、第１の係合部１５及び第２の係合部１６がそれぞれ第１の被係合部２２及び第２の被係合部２３に沿って互いに近づく方向にスライド移動することで、取付面部１２が上方向に変位する。
【００３１】
そして、化粧パネル取付ネジ９のネジ締結穴３ａへの締結が完了し、図６に示すように、取付面部１２が取付部品配置部２０の下面に当接した状態に達すると、化粧パネル２の取付作業が完了する。
【００３２】
以上説明したように実施の形態１の室内機１００によれば、化粧パネル取付ネジ９のネジ締結穴３ａへの締結を進めると、化粧パネル取付部品１１がヒンジ部１８で折れ曲がるとともに、第１の係合部１５及び第２の係合部１６がそれぞれ第１の被係合部２２及び第２の被係合部２３に沿って互いに近づく方向にスライド移動するため、従来のように弾性の湾曲部を変形させるほどの力をかけなくとも、取付面部１２を上方向に変位させることができる。よって、化粧パネル取付ネジ９をネジ締結穴３ａに締結する際の作業性を向上させることができる。
【００３３】
また、化粧パネル取付ネジ９をネジ締結穴３ａに締結する際、第１の係合部１５及び第２の係合部１６をスライド移動させる量によって、取付面部１２の高さを自在に変更することが可能であるため、室内機本体１の取付部３の高さ位置の異なる他機種等に一種類の化粧パネル取付部品で対応することができる。
【００３４】
また、化粧パネル取付部品１１は、ツメ形状の第１の係合部１５及び第２の係合部１６を第１の被係合部２２及び第２の被係合部２３に係合させるだけで化粧パネル本体４に保持されているため、組立作業性及びサービス性に優れている。
【００３５】
また、取付手段８が化粧パネル本体４から抜け落ちないように化粧パネル本体４に保持されているため、化粧パネル２の室内機本体１への取付時に化粧パネル取付ネジ９を手持ちする必要がなく、作業の効率化を図ることができる。
【００３６】
また、化粧パネル取付部品１１において、化粧パネル取付ネジ９を仮止めする第２のネジ挿通穴１２ａに凸部１７を設けることで、化粧パネル取付ネジ９を抜けにくい形状とし、取付作業性を向上させることができる。
【００３７】
実施の形態２．
本発明の実施の形態２の空気調和機の室内機１００について、図８及び図９を用いて説明する。図８は、本発明の実施の形態２に係る室内機１００の化粧パネル２のコーナー部のＡ−Ａ断面図で、化粧パネル２が室内機本体１に仮掛けされた状態を示す図である。図９は、本発明の実施の形態２に係る室内機１００の化粧パネル２のコーナー部のＡ−Ａ断面図で、化粧パネル２が室内機本体１に取り付けられた状態を示す図である。
【００３８】
実施の形態１の室内機１００では、化粧パネル取付部品１１に設けられた第１の係合部１５及び第２の係合部１６を、化粧パネル本体４に設けられた第１の被係合部２２及び第２の被係合部２３にそれぞれ係合させる構成としていた。これに対して、実施の形態２の室内機１００では、係合部及び被係合部を設ける対象を実施の形態１とは反対にし、化粧パネル本体４に下方向に突出する第１の係合部３１及び第２の係合部３２を設け、化粧パネル取付部品１１に第１の係合部３１及び第２の係合部３２がそれぞれ係合される第１の被係合部４１及び第２の被係合部４２を設ける構成としている。
【００３９】
第１の係合部３１及び第２の係合部３２は、第１のネジ挿通穴２１の両脇に下方向に突出するように設けられている。第１の係合部３１及び第２の係合部３２の形状は、実施の形態１の第１の係合部１５及び第２の係合部１６と同様に、ボス部とツメ部とを有するツメ形状をしており、第１の被係合部４１及び第２の被係合部４２に引っ掛かる形状となっている。
【００４０】
また、化粧パネル取付部品１１に設けられた第１の被係合部４１及び第２の被係合部４２は、第２のネジ挿通穴１２ａの軸方向に対して直交する方向に延びた長穴であり、第１の係合部３１及び第２の係合部３２がそれぞれ係合された状態で長手方向に移動できる構造となっている。これにより、第１の被係合部４１及び第２の被係合部４２は、短手方向には位置を変位しないように固定されるが、長手方向には位置を変位させることができるようになっている。
【００４１】
なお、化粧パネル本体４に第１の被係合部２２及び第２の被係合部２３ではなく第１の係合部３１及び第２の係合部３２が設けられていること、及び、化粧パネル取付部品１１に第１の係合部１５及び第２の係合部１６ではなく第１の被係合部４１及び第２の被係合部４２が設けられていること以外の構成については、実施の形態１と同様であるため、その説明を省略する。
【００４２】
次に、実施の形態２の室内機１００において、化粧パネル本体４を室内機本体１に取り付ける手順について説明する。
【００４３】
まず、コーナーパネル７が取り外された状態の化粧パネル本体４の取付部品配置部２０の全てに化粧パネル取付部品１１を仮止めする。すなわち、化粧パネル取付部品１１の第１の被係合部４１及び第２の被係合部４２に、化粧パネル本体４の第１の係合部３１及び第２の係合部３２をそれぞれ係合させるとともに、化粧パネル取付部品１１の引っ掛け部１９に座金１０を差し込み、第２のネジ挿通穴１２ａに化粧パネル取付ネジ９を頭部が下側となる状態で挿入して係止させる。化粧パネル２は、取付手段８の取付部品配置部２０への仮止め後に、取付部品配置部２０がコーナーパネル７により覆われた状態で室内機本体１とともに出荷される。
【００４４】
空気調和機を据え付ける現地では、取付作業者は、コーナーパネル７を取り外して取付手段８が仮止めされた部分を露出させ、図示しない係止手段を用いて化粧パネル２を室内機本体１に仮掛けする。化粧パネル２を室内機本体１に仮掛けした状態においては、図８に示すように、化粧パネル取付ネジ９は、ネジ締結穴３ａ及び第１のネジ挿通穴２１と同軸上に位置し、先端が第１のネジ挿通穴２１の内部に位置するようになっている。また、化粧パネル取付部品１１の第１の取付板部１３及び第２の取付板部１４は、ヒンジ部１８で折れ曲がらずに水平な状態になっている。
【００４５】
その後、化粧パネル取付ネジ９を回転させ、ネジ締結穴３ａへの締結を進めると、化粧パネル取付部品１１がヒンジ部１８で折れ曲がるとともに、第１の被係合部４１及び第２の被係合部４２がそれぞれ第１の係合部３１及び第２の係合部３２が係合された状態で互いに近づく方向にスライド移動することで、取付面部１２が上方向に変位する。
【００４６】
そして、化粧パネル取付ネジ９のネジ締結穴３ａへの締結が完了し、図９に示すように、取付面部１２が取付部品配置部２０の下面に当接した状態に達すると、化粧パネル２の取付作業が完了する。
【００４７】
以上説明したように実施の形態２の室内機１００によれば、化粧パネル取付ネジ９のネジ締結穴３ａへの締結を進めると、化粧パネル取付部品１１がヒンジ部１８で折れ曲がるとともに、第１の被係合部４１及び第２の被係合部４２がそれぞれ第１の係合部３１及び第２の係合部３２が係合された状態で互いに近づく方向にスライド移動するため、従来のように弾性の湾曲部を変形させるほどの力をかけなくとも、取付面部１２を上方向に変位させることができる。よって、化粧パネル取付ネジ９をネジ締結穴３ａに締結する際の作業性を向上させることができる。
【００４８】
また、化粧パネル取付ネジ９をネジ締結穴３ａに締結する際、第１の被係合部４１及び第２の被係合部４２をスライド移動させる量によって、取付面部１２の高さを自在に変更することが可能であるため、室内機本体１の取付部３の高さ位置の異なる他機種等に一種類の化粧パネル取付部品で対応することができる。
【００４９】
また、化粧パネル取付部品１１は、ツメ形状の第１の係合部３１及び第２の係合部３２を第１の被係合部４１及び第２の被係合部４２に係合させるだけで化粧パネル本体４に保持されているため、組立作業性及びサービス性に優れている。
【００５０】
また、取付手段８が化粧パネル本体４から抜け落ちないように化粧パネル本体４に保持されているため、化粧パネル２の室内機本体１への取付時に化粧パネル取付ネジ９を手持ちする必要がなく、作業の効率化が図れる。
【００５１】
また、化粧パネル取付部品１１において、化粧パネル取付ネジ９を仮止めする第２のネジ挿通穴１２ａに凸部１７を設けることで、化粧パネル取付ネジ９を抜けにくい形状とし、取付作業性を向上させることができる。
【００５２】
なお、化粧パネル取付部品１１の形態は、実施の形態１及び２において説明した形態には限定されない。
【００５３】
例えば、第１の取付板部１３及び第２の取付板部１４に折れ曲がり可能なヒンジ部１８をそれぞれ２つずつ形成したが、第１の取付板部１３及び第２の取付板部１４自体を取付面部１２が上方向に変位可能なように変形可能な素材で構成していれば、ヒンジ部１８を形成する必要はない。例えば、柔軟性のある樹脂素材で第１の取付板部１３及び第２の取付板部１４自体を構成すれば、化粧パネル取付ネジ９のネジ締結穴３ａへの締結を進めることにより、取付面部１２が上方向に変位するように第１の取付板部１３及び第２の取付板部１４を変形させることができる。
【００５４】
また、ヒンジ部１８は薄肉の溝であるとしたが、ヒンジ部１８で折れ曲がり可能な構造であれば、ヒンジ部１８は、例えば、切れ込みを入れたスリット構造、又は蝶番で板同士を連結させた構造であっても良い。
【００５５】
また、第１の係合部１５、３１及び第２の係合部１６、３２は、左右同一形状であるものとしたが、それぞれ異なる形状であっても良い。また、第１の係合部１５、３１及び第２の係合部１６、３２の構造はツメ形状である必要はなく、第１の被係合部２２、４１及び第２の被係合部２３、４２にそれぞれ係合させることができ、抜け落ちない構造であればツメ形状以外のものであっても良い。
【００５６】
また、化粧パネル取付部品１１は座金１０を保持する引っ掛け部１９を有しているとしたが、座金１０を化粧パネル取付部品１１に保持できる構造であれば、引っ掛け部１９は必ずしも設ける必要はない。
【００５７】
また、化粧パネル取付部品１１は、長手方向に延びた形状であるとしたが、例えば正方形状であっても良い。また、化粧パネル取付部品１１は樹脂素材であるとしたが、樹脂素材である必要はなく、例えば金属であっても良い。
【００５８】
また、第１の被係合部２２、４１及び第２の被係合部２３、４２の形態も、実施の形態１及び２において説明した形態には限定されない。
【００５９】
例えば、第１の被係合部２２及び第２の被係合部２３は、第１のネジ挿通穴２１の軸方向に対して直交する方向に延びているとしたが、第１のネジ挿通穴２１の軸方向に対し交差する方向に延びていれば、必ずしも直交する方向に延びている必要はない。具体的には、実施の形態１では、第１の被係合部２２及び第２の被係合部２３は水平方向に延びているものとして説明したが、完全に水平方向である必要はなく、水平方向から斜めに傾いたようなものであっても、第１の係合部１５及び第２の係合部１６が互いに近づく方向に移動できれば良い。同様に、第１の被係合部４１及び第２の被係合部４２は、第２のネジ挿通穴１２ａの軸方向に対して直交する方向に延びているとしたが、第２のネジ挿通穴１２ａの軸方向に対し交差する方向に延びていれば、必ずしも直交する方向に延びている必要はない。
【００６０】
また、第１の被係合部２２、４１及び第２の被係合部２３、４２は、長穴であるとしたが、この形状に限定されるものではなく、例えば、溝のようなものであっても良く、第１の係合部１５、３１及び第２の係合部１６、３２が係合されて互いに近づく方向に移動できる構造であれば良い。
【００６１】
また、第１の被係合部２２、４１及び第２の被係合部２３、４２は、一直線上に並んでいるとしたが、一直線上に並んでいる必要はなく、一直線上に並んでいない場合であっても、第１の係合部１５、３１及び第２の係合部１６、３２が互いに近づく方向に移動できれば良い。
【００６２】
また、化粧パネル取付部品１１の化粧パネル取付ネジ９の保持構造についても、実施の形態１及び２において説明した形態には限定されない。
【００６３】
例えば、第２のネジ挿通穴１２ａの形状として、凸部１７を６箇所設けた星形状のものを例として説明したが、化粧パネル取付ネジ９を挿入し易く、化粧パネル取付ネジ９を保持できる形状であれば、凸部１７の配置及び数は自由に変更することができる。
【００６４】
また、第２のネジ挿通穴１２ａの形状を、化粧パネル取付ネジ９を保持できる形状としたが、化粧パネル取付ネジ９を保持できる構造を他に有していれば、第２のネジ挿通穴１２ａが化粧パネル取付ネジ９を保持できる構造になっていなくても良い。例えば、化粧パネル取付ネジ９と座金１０とを一体化した構造とすれば、引っ掛け部１９により座金１０が保持され、座金１０と一体化された化粧パネル取付ネジ９も化粧パネル取付部品１１に保持されるため、第２のネジ挿通穴１２ａが化粧パネル取付ネジ９を保持できる構造になっていなくても、化粧パネル取付ネジ９を化粧パネル取付部品１１に保持することが可能である。
【００６５】
また、実施の形態１及び２において、化粧パネル２を室内機本体１に仮掛けした状態では、化粧パネル取付ネジ９がネジ締結穴３ａ及び第１のネジ挿通穴２１と同軸上に位置し、先端が第１のネジ挿通穴２１の内部に位置するようになっているとしたが、仮掛け状態での化粧パネル取付ネジ９の位置は実施の形態１及び２で説明した内容に限定されない。化粧パネル取付ネジ９がネジ締結穴３ａ及び第１のネジ挿通穴２１と同軸上になく、先端が第１のネジ挿通穴２１の内部に位置していなくても、化粧パネル２の室内機本体１への取り付け時において、化粧パネル取付ネジ９をネジ締結穴３ａ及び第１のネジ挿通穴２１と同軸上に位置するように位置合わせをし、先端を第１のネジ挿通穴２１に挿通させてネジ締結穴３ａへの締結を行えば良い。
【００６６】
また、化粧パネル２を室内機本体１に仮掛けした状態において、化粧パネル取付部品１１の第１の取付板部１３及び第２の取付板部１４が、ヒンジ部１８で折れ曲がらずに水平な状態になっていると説明したが、化粧パネル取付ネジ９の重みで折れ曲がり、下方に垂れ下がった形状になっていても良い。
【００６７】
また、座金１０は、化粧パネル取付部品１１との接着面を増やし、化粧パネル取付部品１１に対する面圧を分散するために設けているものであり、座金１０は必ずしも必要ではない。化粧パネル２を室内機本体１に取り付けられるものであれば、取付手段８は、化粧パネル取付ネジ９と化粧パネル取付部品１１の２つから構成されるものであっても良い。
【００６８】
また、化粧パネル取付部品１１は、化粧パネル本体４の４箇所のコーナー部の全てに設けるとしたが、４箇所のコーナー部の全てに設ける必要はなく、化粧パネル２を室内機本体１に取り付けられれば、例えば、対角線上の２つのコーナー部に設けるようにしても良い。
【００６９】
実施の形態３．
本発明の実施の形態３の空気調和機について、図１０を用いて説明する。図１０は、本発明の実施の形態３に係る空気調和機の構成例を示す図である。図１０では、空気調和機の例として冷凍サイクルを利用した装置について説明する。
【００７０】
図１０の空気調和機は、室外機２００と、実施の形態１又は２の室内機１００とを、ガス冷媒配管３００及び液冷媒配管４００により配管接続する。
【００７１】
室外機２００は、圧縮機２１０、四方弁２２０、室外熱交換器２３０及び膨張弁２４０を有する。
【００７２】
圧縮機２１０は、吸入した冷媒を圧縮して吐出する。ここで、特に限定するものではないが、圧縮機２１０は例えばインバータ回路により、運転周波数を任意に変化させることにより、圧縮機２１０の容量（単位時間あたりの冷媒を送り出す量）を変化させることができるようにしても良い。
【００７３】
四方弁２２０は、例えば冷房運転時と暖房運転時とによって冷媒の流れを切り換える弁である。
【００７４】
室外熱交換器２３０は、冷媒と室外の空気との熱交換を行う。例えば、暖房運転時においては蒸発器として機能し、冷媒を蒸発させ気化させる。また、冷房運転時においては凝縮器として機能し、冷媒を凝縮して液化させる。
【００７５】
膨張弁２４０は、冷媒を減圧して膨張させるものであり、絞り装置又は流量制御手段等から構成される。膨張弁２４０が例えば電子式膨張弁から構成される場合には、図示しない制御装置の指示に基づいて開度調整を行う。
【００７６】
室内機１００は、室内熱交換器１１０を有する。室内熱交換器１１０は、冷媒と空調対象となる空気との熱交換を行う。例えば、暖房運転時においては凝縮器として機能し、冷媒を凝縮して液化させる。また、冷房運転時においては蒸発器として機能し、冷媒を蒸発させ気化させる。
【００７７】
以上のように空気調和機を構成し、室外機２００の四方弁２２０により冷媒の流れを切り換えることで、暖房運転及び冷房運転を実現することができる。
【００７８】
ここで、室内機１００は、室内熱交換器１１０を室内機本体１の内部に収容し、化粧パネル２により覆われている。なお、化粧パネル２は実施の形態１及び２と同様に室内機本体１の下面に取り付けられる。
【００７９】
実施の形態３の空気調和機によれば、暖房運転及び冷房運転を実現することのできる空気調和機において、化粧パネル２の室内機本体１への取り付け時に、化粧パネル取付ネジ９のネジ締結穴３ａへの締結を進めることにより、化粧パネル取付部品１１の取付面部１２が上方向に変位するとともに、第１の取付板部１３及び第２の取付板部１４が互いに近づくように移動するため、化粧パネル取付ネジ９をネジ締結穴３ａに締め付ける際の作業性を向上させることができる。
【００８０】
なお、上述した実施の形態１〜３においては、４方向に空気を吹き出す４方向カセット形空気調和機の室内機１００について説明したが、例えば、二方向又は三方向等に空気を吹き出す室内機についても適用することができる。また、天井埋め込み式の室内機１００について説明したが、天井埋め込み式ではなく、室内機が露出した空気調和機についても適用することができる。また、冷凍サイクルを利用した熱交換可能な空気調和機について説明したが、冷凍サイクルを利用しない、例えば、送風機又は換気装置等にも適用することができる。以上のように、空気調和機の室内機に取り付ける化粧パネルであれば、本発明は適用可能である。
【符号の説明】
【００８１】
１  室内機本体、２  化粧パネル、３  取付部、３ａ  ネジ締結穴、４  化粧パネル本体、５  吸込口、６  吹出口、７  コーナーパネル、８  取付手段、９  化粧パネル取付ネジ、１０  座金、１１  化粧パネル取付部品、１２  取付面部、１２ａ  第２のネジ挿通穴、１３  第１の取付板部、１４  第２の取付板部、１５  第１の係合部、１６  第２の係合部、１７  凸部、１８  ヒンジ部、１９  引っ掛け部、２０  取付部品配置部、２１  第１のネジ挿通穴、２２  第１の被係合部、２３  第２の被係合部、３１  第１の係合部、３２  第２の係合部、４１  第１の被係合部、４２  第２の被係合部、１００  室内機、１１０  室内熱交換器、２００  室外機、２１０  圧縮機、２２０  四方弁、２３０  室外熱交換器、２４０  膨張弁、３００  ガス冷媒配管、４００  液冷媒配管。
【図１】
0006952912.tif 000002
【図２】
0006952912.tif 000003
【図３】
0006952912.tif 000004
【図４】
0006952912.tif 000005
【図５】
0006952912.tif 000006
【図６】
0006952912.tif 000007
【図７】
0006952912.tif 000008
【図８】
0006952912.tif 000009
【図９】
0006952912.tif 000010
【図１０】
0006952912.tif 000011